(57)【要約】【課題】気泡が破裂してもその飛散物が四方八方に飛び散るようなことが防止されるプロテインスキマーを提供する。【解決手段】本発明のプロテインスキマー１は、気泡と処理対象水を接触させる処理容器２と、処理容器２の上部位置に配置された上面開放の分離物回収容器３と、分離物回収容器３の上面に着脱自在に取り付けられた蓋体であって１ないし複数個の小孔が穿設された第１蓋体４と、第１蓋体４の上面に、該第１蓋体との間に気泡が通過できる排出用通路２１が確保された状態で着脱自在に取り付けられた第２蓋体５と、を備え、分離物回収容器３の内部に、該分離物回収容器の底面に形成された通過孔１１に連通状態に略筒状の導管１２が立設され、排出用通路２１と連通した外部に臨む排出口２３が下方向から横方向にかけてのいずれかの方向に向けて開口していることを特徴とする。【選択図】図１
2009045001.tif 000002
【特許請求の範囲】
【請求項１】
気泡と処理対象水を接触させる処理容器と、
前記処理容器の上部位置に配置された、上面開放の分離物回収容器と、
前記分離物回収容器の上面に着脱自在に取り付けられた蓋体と、を備え、
前記分離物回収容器の内部に、該分離物回収容器の底面に形成された通過孔に連通状態に略筒状の導管が立設され、
前記分離物回収容器と前記蓋体との間に気泡が通過できる排出用通路が形成され、該排出用通路と連通した外部に臨む排出口が下方向から横方向にかけてのいずれかの方向に向けて開口していることを特徴とするプロテインスキマー。
【請求項２】
前記蓋体は、天板部と、該天板部の周縁から下方に向けて延ばされた側板部とを備えてなり、前記天板部の下面から下方に向けて気泡の破裂を促進する邪魔板が突設されている請求項１に記載のプロテインスキマー。
【請求項３】
前記邪魔板は、前記蓋体の天板部における前記導管の上端縁の対応位置よりも外方の領域から下方に向けて突設されて略短筒状に形成されている請求項２に記載のプロテインスキマー。
【請求項４】
気泡と処理対象水を接触させる処理容器と、
前記処理容器の上部位置に配置された、上面開放の分離物回収容器と、
前記分離物回収容器の上面に着脱自在に取り付けられた蓋体であって、１ないし複数個の小孔が形成された第１蓋体と、
前記第１蓋体の上面に、該第１蓋体との間に気泡が通過できる排出用通路が確保された状態で着脱自在に取り付けられた第２蓋体と、を備え、
前記分離物回収容器の内部に、該分離物回収容器の底面に形成された通過孔に連通状態に略筒状の導管が立設され、
前記排出用通路と連通した外部に臨む排出口が下方向から横方向にかけてのいずれかの方向に向けて開口していることを特徴とするプロテインスキマー。
【請求項５】
前記第１蓋体は、天板部と、該天板部の周縁から下方に向けて延ばされた側板部とを備えてなり、
前記第２蓋体は、天板部と、該天板部の周縁から下方に向けて延ばされた側板部とを備えてなり、
前記第２蓋体の天板部と前記第１蓋体の天板部との間に前記排出用通路が形成されると共に、前記第２蓋体の側板部の少なくとも一部と、前記第１蓋体の側板部の少なくとも一部との間に前記排出用通路に連通する排出用隙間が形成され、該排出用隙間の下端の排出口が略下方向に向けて開口している請求項４に記載のプロテインスキマー。
【請求項６】
前記第１蓋体は、天板部と、該天板部の周縁から下方に向けて延ばされた側板部とを備えてなり、前記第１蓋体の天板部の下面から下方に向けて気泡の破裂を促進する邪魔板が突設されている請求項４または５に記載のプロテインスキマー。
【請求項７】
前記邪魔板は、前記第１蓋体の天板部における前記導管の上端縁の対応位置よりも外方の領域から下方に向けて突設されて略短筒状に形成されている請求項６に記載のプロテインスキマー。
【発明の詳細な説明】
【技術分野】
【０００１】
この発明は、微小気泡を利用して水中のタンパク質や魚糞等を除去するプロテインスキマーに関する。
【背景技術】
【０００２】
観賞魚の飼育に用いられる水槽内の水は、魚から排出されるプロテイン（タンパク質）や魚の糞等によって汚れることから、水槽にプロテインスキマーを取り付けて水槽水を浄化することが従来より行われている。
【０００３】
このプロテインスキマーは、処理容器（反応室）において処理対象水（水槽内の水）と微小気泡とを接触させることによって該微小気泡にプロテイン等を付着捕捉せしめ、気泡が上昇するのを利用してプロテイン付着気泡を処理容器の上に配置された分離物回収容器（気泡収集カップ）に分離回収することによって、プロテイン等が分離除去された後の浄化処理水を水槽内に戻すように構成された装置である（特許文献１参照）。
【０００４】
上記分離物回収容器（気泡収集カップ）の開放上面には蓋が被せられる。しかして、この分離物回収容器内を定期的に清掃していれば、回収容器内に気泡が充満してくることは殆どないのであるが、清掃の間隔（次の清掃までの期間）が長くなると、回収容器内に気泡が充満してきて気泡が外部に溢れ出してくる場合がある。そこで、このように気泡が外に溢れ出してくる場合の対策として、蓋の天板に複数個の小孔を形成し、気泡が該小孔を通過する際に破裂するように構成されたものが知られている。
【特許文献１】特開２００２−３３１２８５号公報
【発明の開示】
【発明が解決しようとする課題】
【０００５】
しかしながら、上記従来のプロテインスキマーでは、気泡が蓋の天板の小孔を通過した際に破裂するので、気泡の破裂による飛散物が四方八方に飛び散ってしまい非常に広範囲にわたって汚れが付着してしまうという問題を生じていた。
【０００６】
この発明は、かかる技術的背景に鑑みてなされたものであって、気泡が破裂してもその飛散物が四方八方に飛び散るようなことが防止されるプロテインスキマーを提供することを目的とする。
【課題を解決するための手段】
【０００７】
前記目的を達成するために、本発明は以下の手段を提供する。
【０００８】
［１］気泡と処理対象水を接触させる処理容器と、
前記処理容器の上部位置に配置された、上面開放の分離物回収容器と、
前記分離物回収容器の上面に着脱自在に取り付けられた蓋体と、を備え、
前記分離物回収容器の内部に、該分離物回収容器の底面に形成された通過孔に連通状態に略筒状の導管が立設され、
前記分離物回収容器と前記蓋体との間に気泡が通過できる排出用通路が形成され、該排出用通路と連通した外部に臨む排出口が下方向から横方向にかけてのいずれかの方向に向けて開口していることを特徴とするプロテインスキマー。
【０００９】
［２］前記蓋体は、天板部と、該天板部の周縁から下方に向けて延ばされた側板部とを備えてなり、前記天板部の下面から下方に向けて気泡の破裂を促進する邪魔板が突設されている前項１に記載のプロテインスキマー。
【００１０】
［３］前記邪魔板は、前記蓋体の天板部における前記導管の上端縁の対応位置よりも外方の領域から下方に向けて突設されて略短筒状に形成されている前項２に記載のプロテインスキマー。
【００１１】
［４］気泡と処理対象水を接触させる処理容器と、
前記処理容器の上部位置に配置された、上面開放の分離物回収容器と、
前記分離物回収容器の上面に着脱自在に取り付けられた蓋体であって、１ないし複数個の小孔が形成された第１蓋体と、
前記第１蓋体の上面に、該第１蓋体との間に気泡が通過できる排出用通路が確保された状態で着脱自在に取り付けられた第２蓋体と、を備え、
前記分離物回収容器の内部に、該分離物回収容器の底面に形成された通過孔に連通状態に略筒状の導管が立設され、
前記排出用通路と連通した外部に臨む排出口が下方向から横方向にかけてのいずれかの方向に向けて開口していることを特徴とするプロテインスキマー。
【００１２】
［５］前記第１蓋体は、天板部と、該天板部の周縁から下方に向けて延ばされた側板部とを備えてなり、
前記第２蓋体は、天板部と、該天板部の周縁から下方に向けて延ばされた側板部とを備えてなり、
前記第２蓋体の天板部と前記第１蓋体の天板部との間に前記排出用通路が形成されると共に、前記第２蓋体の側板部の少なくとも一部と、前記第１蓋体の側板部の少なくとも一部との間に前記排出用通路に連通する排出用隙間が形成され、該排出用隙間の下端の排出口が略下方向に向けて開口している前項４に記載のプロテインスキマー。
【００１３】
［６］前記第１蓋体は、天板部と、該天板部の周縁から下方に向けて延ばされた側板部とを備えてなり、前記第１蓋体の天板部の下面から下方に向けて気泡の破裂を促進する邪魔板が突設されている前項４または５に記載のプロテインスキマー。
【００１４】
［７］前記邪魔板は、前記第１蓋体の天板部における前記導管の上端縁の対応位置よりも外方の領域から下方に向けて突設されて略短筒状に形成されている前項６に記載のプロテインスキマー。
【発明の効果】
【００１５】
［１］の発明では、分離物回収容器と蓋体との間に形成された排出用通路の外部に臨む排出口が、下方向から横方向にかけてのいずれかの方向に向けて開口しているから、気泡が例えば排出口等で破裂してもその飛散物が四方八方に広範囲に飛び散るようなことが防止される。
【００１６】
［２］の発明では、蓋体の天板部の下面から下方に向けて気泡の破裂を促進する邪魔板が突設されているから、該邪魔板の存在によって分離物回収容器の内部空間内での気泡の破裂が促進され、これにより前記排出口付近での気泡の破裂が減少する結果、気泡の破裂による汚れ付着はより少なくなる。
【００１７】
［３］の発明では、邪魔板は、蓋体の天板部における導管の上端縁の対応位置よりも外方の領域から下方に向けて突設されて略短筒状に形成されているので、該邪魔板の存在によって分離物回収容器の内部空間内での気泡の破裂がより一層促進され、これにより前記排出口付近での気泡の破裂が格段に減少する結果、気泡の破裂による汚れ付着はより一層少なくなる。
【００１８】
［４］の発明では、分離物回収容器の上面に着脱自在に取り付けられる第１蓋体に１ないし複数個の小孔が形成されているので、気泡が該小孔を通過した際に破裂して気泡の溢れ出しが効果的に防止される。また、排出用通路と連通した排出口が下方向から横方向にかけてのいずれかの方向に向けて開口しているから、気泡が例えば排出口等で破裂してもその飛散物が四方八方に広範囲に飛び散るようなことが防止される。また、第２蓋体は、第１蓋体に対して着脱自在に取り付けられているから、両蓋体間の排出用通路の清掃を容易に行うことができる。
【００１９】
［５］の発明では、第２蓋体の側板部の少なくとも一部と、第１蓋体の側板部の少なくとも一部との間に前記排出用通路に連通する排出用隙間が形成され、該排出用隙間の下端の排出口が略下方向に向けて開口しているから、気泡が例えば排出口等で破裂してもその飛散物が四方八方に広範囲に飛び散るようなことが十分に防止される。
【００２０】
［６］の発明では、第１蓋体の天板部の下面から下方に向けて気泡の破裂を促進する邪魔板が突設されているから、該邪魔板の存在によって分離物回収容器の内部空間内での気泡の破裂が促進され、これにより前記排出口付近での気泡の破裂が減少する結果、気泡の破裂による汚れ付着はより少なくなる。
【００２１】
［７］の発明では、邪魔板は、第１蓋体の天板部における導管の上端縁の対応位置よりも外方の領域から下方に向けて突設されて略短筒状に形成されているので、該邪魔板の存在によって分離物回収容器の内部空間内での気泡の破裂がより一層促進され、これにより前記排出口付近での気泡の破裂が格段に減少する結果、気泡の破裂による汚れ付着はより一層少なくなる。
【発明を実施するための最良の形態】
【００２２】
この発明のプロテインスキマー（１）の一実施形態を図１〜５に示す。このプロテインスキマー（１）は、処理容器（２）、分離物回収容器（３）、第１蓋体（４）及び第２蓋体（５）を備えてなる。
【００２３】
前記処理容器（２）は、気泡と処理対象水（水槽水等）を接触させるための容器であり、外形形状が縦長の略直方体形状に形成されている。この処理容器（２）の上面に長方形の開口部（９）が設けられ、該開口部（９）の周縁から上方に向けて長方形の縁枠状の嵌合用突部（１０）が突設されている（図１、３参照）。
【００２４】
前記処理容器（２）内の下方位置にポンプ（４０）が配置されており、該ポンプ（４０）の駆動によって、採水口（４１）から処理対象水が処理容器（２）内に吸い込まれると共に、空気取入口（４３）から空気が取り込まれ、これら処理対象水と気泡が混合されつつ噴出口（４４）から噴出された後、これら処理対象水と気泡は相互に接触しつつ前記処理容器（２）の内部空間内を上昇する（図１、２参照）。前記上昇の過程で、処理対象水と気泡が接触することによって、処理対象水に含有されるプロテイン、魚糞等が気泡に付着して該気泡に捕捉され、この状態で処理容器（２）内を上昇する。なお、図２において、（４２）は、処理後の水が吐出される吐出口であり、（３９）は、仕切板である。
【００２５】
前記分離物回収容器（３）は、前記処理容器（２）の上部に取り付けられるものである（図１〜３参照）。前記分離物回収容器（３）は、外形形状が略直方体形状に形成され、その上面は開放されている。また、前記分離物回収容器（３）の底面に円形状の通過孔（１１）が形成されると共に、前記分離物回収容器（３）の内部に、前記通過孔（１１）に連通する状態に略筒状の導管（１２）が立設されている（図１〜３参照）。この導管（１２）は、その内径が下から上に向けて縮径するように構成されている。また、前記分離物回収容器（３）の底面における前記通過孔（１１）の周縁から下方に向けて長方形の縁枠状の嵌合用突部（１９）が突設されている（図１参照）。なお、図１において、（１８）は、分離回収されたプロテイン等が貯留される分離物貯留空間である。
【００２６】
前記分離物回収容器（３）は、前記導管（１２）も含めて透明樹脂で形成されているので、該分離物回収容器（３）の分離物貯留空間（１８）におけるプロテイン等の分離物の回収状況を、プロテインスキマー（１）が稼働している状態で、容易に確認することができる。
【００２７】
前記第１蓋体（４）は、図３、４に示すように、平面視矩形状の天板部（３１）と、該天板部（３１）の周縁（四辺）から下方に向けて延ばされた４つの側板部（３２）（３２）（３２）（３２）とからなる。前記第１蓋体（４）の天板部（３１）における前記導管（１２）の上端縁の対応位置よりも外方側の領域から下方に向けて略短筒状の邪魔板（１３）が突設されている（図１、４参照）。この邪魔板（１３）は、気泡の破裂を促進するために設けられている。前記第１蓋体（４）の天板部（３１）における前記邪魔板（１３）よりも外方側の領域に小孔（１４）（１４）（１４）（１４）が穿設されている（図３、４参照）。
【００２８】
また、前記第１蓋体（４）の天板部（３１）の上面の４つの角縁部のうちの隣り合う２つの角縁部に略Ｌ字状の嵌合用突起（１５）（１５）が突設され、残る隣り合う２つの角縁部に筋状の嵌合用突起（１６）（１６）が突設されている（図３参照）。
【００２９】
前記第２蓋体（５）は、図３、５に示すように、平面視矩形状の天板部（３３）と、該天板部（３３）の周縁（四辺）から下方に向けて延ばされた４つの側板部（３４）（３４）（３４）（３４Ａ）とからなる。これらの中の１つの側板部（３４Ａ）は、他の側板部（３４）（３４）（３４）よりも下方に向けて長く延ばされている（図３、５参照）。
【００３０】
しかして、前記処理容器（２）、前記分離物回収容器（３）、前記第１蓋体（４）及び前記第２蓋体（５）が図１に示すような態様で取り付けられることによって、本発明のプロテインスキマー（１）が構成されている。即ち、このプロテインスキマー（１）では、前記処理容器（２）の上面の嵌合用突部（１０）に、前記分離物回収容器（３）の底面の嵌合用突部（１９）が外嵌されることによって、前記処理容器（２）の上部位置に前記分離物回収容器（３）が着脱自在に取付固定されている（図１参照）。更に、前記分離物回収容器（３）の開放上面に、該上面を覆うように前記第１蓋体（４）が嵌合されて固定されている。この第１蓋体（４）は、前記分離物回収容器（３）に対して着脱自在に取り付けられている。更に、この第１蓋体（４）の天板部（３１）の上面の嵌合用突起（１５）（１５）（１６）（１６）に、前記第２蓋体（５）の側板部（３４）（３４）（３４）（３４Ａ）が外嵌されることによって、前記第１蓋体（４）の上に前記第２蓋体（５）が着脱自在に取付固定されている（図１、３参照）。例えばこのような手順で取り付けられることによって前記プロテインスキマー（１）が構成される。勿論、取り付け手順はこれに限定されるものではない。
【００３１】
前記プロテインスキマー（１）において、前記第１蓋体（４）の天板部（３１）と前記第２蓋体（５）の天板部（３３）の間には気泡が通過可能な排出用通路（２１）が確保されている（図１参照）。また、前記第２蓋体（５）の１つの側板部（３４Ａ）と前記第１蓋体（４）の側板部（３２）の間に、前記排出用通路（２１）に連通する排出用隙間（２２）が形成されている。前記排出用隙間（２２）の下端の排出口（２３）は下方向に向けて開口している（図１参照）。
【００３２】
上記プロテインスキマー（１）は、取付枠（４５）及び取付具（４６）を用いて水槽内に取り付けられる（図１、６参照）。なお、図１において、水槽は二点鎖線で示す。前記取付枠（４５）は、水平枠体（４５ａ）と、該水平枠体（４５ａ）の水平方向の中央部に左右に離間して接合された吸盤（４５ｂ）（４５ｂ）とを備えてなる（図１、６参照）。また、前記取付具（４６）は、水平板部（４６ｃ）と、該水平板部（４６ｃ）の一端から下方に向けて延ばされたフック部（４６ａ）と、前記水平板部（４６ｃ）の他端から下方に向けて延ばされた連結部（４６ｂ）とを備えてなる（図１参照）。しかして、前記プロテインスキマー（１）の側面に前記取付枠（４５）の水平枠体（４５ａ）が装着され、該水平枠体（４５ａ）の中央部の隙間（４５ｃ）に前記取付具（４６）の連結部（４６ｂ）が挿入されて連結固定されると共に、前記取付具（４６）の水平板部（４６ｃ）が水槽の側壁（Ｗ）の頂部に当接した状態で該取付具（４６）のフック部（４６ａ）が水槽の側壁（Ｗ）に係止されることによって、前記プロテインスキマー（１）は水槽内に安定状態に取り付けられる。
【００３３】
しかして、上記プロテインスキマー（１）によれば、ポンプ（４０）を駆動させると、前記採水口（４１）から前記処理容器（２）内に処理対象水（水槽水等）が吸い込まれると共に前記空気取入口（４３）から空気が取り込まれ、これら処理対象水と気泡が混合されつつ噴出口（４４）から噴出された後、これら処理対象水と気泡は相互に接触しつつ前記処理容器（２）内を上昇する。前記処理容器（２）内で処理対象水と気泡が接触することによって、処理対象水に含まれるプロテイン、魚糞等が気泡に付着して該気泡に捕捉され、このプロテイン等付着気泡が、さらに前記分離物回収容器（３）の導管（１２）内を上昇して該導管（１２）の上端縁から溢れ出て分離物回収容器（３）内の底部の分離物貯留空間（１８）に溜まる。このようにしてプロテイン、魚糞等が、処理対象水から分離されて前記分離物回収容器（３）内の分離物貯留空間（１８）に回収される。一方、前記処理容器（２）内を上昇してきた浄化処理後の水は、図１で一点鎖線で示す、水槽内の水面レベル（Ｌ）より上方には上昇せず、図２に示すような経路（実線矢印）を経て、前記吐出口（４２）から吐出されて水槽内に戻される（図２参照）。なお、図１で示した水面レベル（Ｌ）は一例であり、特にこのような配置状態に限定されるものではない。また、図１及び図２において、実線の矢印は、処理容器（２）内における処理対象水の移動方向の一例を示し、点線の矢印は、分離物回収容器（３）における気泡の移動方向の一例を示す。
【００３４】
また、前記導管（１２）内を上昇してきたプロテイン等付着気泡は、その一部が分離物回収容器（３）内の底部の分離物貯留空間（１８）に落下して滞留する一方、その一部は前記第１蓋体（４）の邪魔板（１３）に接触して破裂するものもある。この邪魔板（１３）に接触して破裂すると、気泡に付着していたプロテイン等の分離物は、底部の分離物貯留空間（１８）に落下して回収される。また、清掃の間隔が長くなる等して前記分離物回収容器（３）内に気泡が充満してくると、前記上昇してきた気泡の一部は、前記第１蓋体（４）の小孔（１４）（１４）（１４）（１４）を通過し、この小孔（１４）を通過した気泡の一部はここで破裂し、通過した残りの気泡は、さらに前記排出用通路（２１）、前記排出用隙間（２２）を順に通過して前記排出口（２３）から外部に放出される。この時、前記排出口（２３）は下方向に向けて開口しているので、気泡が前記排出口（２３）で破裂したとしてもその飛散物が四方八方に広範囲に飛び散るようなことが十分に防止され、衛生的である。
【００３５】
本発明のプロテインスキマー（１）の他の実施形態について説明する。まず、図７に蓋体（６）を備えた分離物回収容器（３）の変形例を示す。なお、他の構成部材については前記実施形態と同様であるのでその説明及び図示は省略する。
【００３６】
分離物回収容器（３）は、前記実施形態と同様であるので同一の符号を付してその説明は省略する。前記蓋体（６）は、図７（ａ）（ｂ）に示すように、平面視矩形状の天板部（６１）と、該天板部（６１）の周縁（四辺）から下方に向けて延ばされた４つの側板部（６２）（６２）（６２）（６２）とからなる。前記蓋体（６）の天板部（６１）における前記導管（１２）の上端縁の対応位置よりも外方側の領域から下方に向けて略短筒状の邪魔板（６３）が突設されている（図７参照）。この邪魔板（６３）は、気泡の破裂を促進するために設けられている。前記分離物回収容器（３）の側壁と前記蓋体（６）の１つの側板部（６２）との間に外部と連通する排出用通路（６４）が形成されている。前記排出用通路（６４）の外部に臨む排出口（６５）は下方向に向けて開口している。
【００３７】
しかして、図７に示す蓋体（６）及び分離物回収容器（３）を備えたプロテインスキマー（１）では、前記同様に導管（１２）内を上昇してきたプロテイン等付着気泡は、その一部が分離物回収容器（３）内の底部の分離物貯留空間（１８）に落下して滞留する一方、その一部は前記蓋体（６）の邪魔板（６３）に接触して破裂するものもある。この邪魔板（６３）に接触して破裂すると、気泡に付着していたプロテイン等の分離物は、底部の分離物貯留空間（１８）に落下して回収される。また、清掃の間隔が長くなる等して前記分離物回収容器（３）内に気泡が充満してくると、前記上昇してきた気泡の一部は、前記排出用通路（６４）を通過して前記排出口（６５）から外部に放出されるが、この時、前記排出口（６５）は下方向に向けて開口しているので、気泡が前記排出口（６５）で破裂したとしてもその飛散物が四方八方に広範囲に飛び散るようなことが防止され、衛生的である。
【００３８】
本発明のプロテインスキマー（１）のさらに他の実施形態について説明する。まず、図８に蓋体（７）を備えた分離物回収容器（３）の変形例を示す。なお、他の構成部材については前記実施形態と同様であるのでその説明及び図示は省略する。
【００３９】
分離物回収容器（３）は、前記実施形態と同様であるので同一の符号を付してその説明は省略する。前記蓋体（７）は、図８に示すように、平面視矩形状の天板部（７１）と、該天板部（７１）の周縁（四辺）から下方に向けて延ばされた４つの側板部（７２）（７２）（７２）（７２）とからなる。前記蓋体（７）の天板部（７１）における前記導管（１２）の上端縁の対応位置よりも外方側の領域から下方に向けて略短筒状の邪魔板（７３）が突設されている（図８参照）。この邪魔板（７３）は、気泡の破裂を促進するために設けられている。前記分離物回収容器（３）と前記蓋体（７）の１つの側板部（７２）との間に外部と連通する排出用通路（７４）が形成されている。前記排出用通路（７４）の外部に臨む排出口（７５）は斜め下方向に向けて開口している。
【００４０】
しかして、図８に示す蓋体（７）及び分離物回収容器（３）を備えたプロテインスキマー（１）では、前記同様に導管（１２）内を上昇してきたプロテイン等付着気泡は、その一部が分離物回収容器（３）内の底部の分離物貯留空間（１８）に落下して滞留する一方、その一部は前記蓋体（７）の邪魔板（７３）に接触して破裂するものもある。この邪魔板（７３）に接触して破裂すると、気泡に付着していたプロテイン等の分離物は、底部の分離物貯留空間（１８）に落下して回収される。また、清掃の間隔が長くなる等して前記分離物回収容器（３）内に気泡が充満してくると、前記上昇してきた気泡の一部は、前記排出用通路（７４）を通過して前記排出口（７５）から外部に放出されるが、この時、前記排出口（７５）は斜め下方向に向けて開口しているので、気泡が前記排出口（７５）で破裂したとしてもその飛散物が四方八方に広範囲に飛び散るようなことが防止され、衛生的である。
【００４１】
なお、上記実施形態では、排出口（２３）（６５）（７５）は、下方向又は斜め下方向に向けて開口した構成が採用されているが、前記排出用通路（２１）（６４）（７４）の外部に臨む排出口（２３）（６５）（７５）は、下方向から横方向にかけてのいずれかの方向に向けて開口している構成であれば良い。中でも、排出口は略下方向に向けて開口しているのが、飛散物が四方八方に広範囲に飛び散るようなことがより十分に防止され得る点で、好ましい。
【図面の簡単な説明】
【００４２】
【図１】この発明に係るプロテインスキマーの一実施形態を示す縦断面図（正面視）である。
【図２】図１のプロテインスキマーの右側面図である。
【図３】図１のプロテインスキマーを分離状態で示す斜視図である。
【図４】第１蓋体の下面側からの斜視図である。
【図５】第２蓋体の下面側からの斜視図である。
【図６】取付枠が装着されたプロテインスキマーを示す平面図である。
【図７】（ａ）は蓋体を備えた分離物回収容器の変形例を示す縦断面図、（ｂ）は蓋体の下面側からの斜視図である。
【図８】蓋体を備えた分離物回収容器の他の変形例を示す縦断面図である。
【符号の説明】
【００４３】
１…プロテインスキマー
２…処理容器
３…分離物回収容器
４…第１蓋体
５…第２蓋体
６…蓋体
７…蓋体
１１…通過孔
１２…導管
１３…邪魔板
１４…小孔
２１…排出用通路
２２…排出用隙間
２３…排出口
３１…天板部（第１蓋体）
３２…側板部（第１蓋体）
３３…天板部（第２蓋体）
３４…側板部（第２蓋体）
６１、７１…天板部
６２、７２…側板部
６３、７３…邪魔板
６４、７４…排出用通路
６５、７５…排出口
【図１】
2009045001.tif 000003
【図２】
2009045001.tif 000004
【図３】
2009045001.tif 000005
【図４】
2009045001.tif 000006
【図５】
2009045001.tif 000007
【図６】
2009045001.tif 000008
【図７】
2009045001.tif 000009
【図８】
2009045001.tif 000010